(57)【要約】【課題】店舗のチェックアウトレーンにおいて、棒金硬貨のセットおよび回収が簡単にできて使い勝手がよく、しかもセキュリティ性を向上させた棒金保管機を提供するものである。【解決手段】ドロワ本体と、前記ドロワ本体に着脱自在に装着され、収納される棒金硬貨の金種が設定された複数の棒金ホルダを有する棒金収納ケースと、前記各棒金ホルダにそれぞれ対応して設けられ、棒金硬貨が前記棒金収納ケースに収納されていることを検知する棒金検知手段とを備える。さらに、前記棒金収納ケースには収納ケース蓋とロック機構が設けられ、この棒金収納ケースが前記ドロワ本体から取り外された時、この棒金収納ケースは前記収納ケース蓋とロック機構により閉蓋された状態に保持される。【選択図】図５
2014021739.tif 000002
【特許請求の範囲】
【請求項１】
ドロワ本体と、
前記ドロワ本体に着脱自在に装着され、収納される棒金硬貨の金種が設定された複数の棒金ホルダを有する棒金収納ケースと、
前記各棒金ホルダにそれぞれ対応して設けられ、棒金硬貨が前記棒金収納ケースに収納されていることを検知する棒金検知手段と、
を備える棒金保管機。
【請求項２】
前記棒金収納ケースには収納ケース蓋とロック機構が設けられ、この棒金収納ケースが前記ドロワ本体から取り外された時、この棒金収納ケースは前記収納ケース蓋とロック機構により閉蓋された状態に保持されることを特徴とする請求項1記載の棒金保管機。
【請求項３】
店舗のバックヤードに設けられた棒金管理装置において、
棒金保管機から取り外した棒金収納ケースを収納する収納部と
前記収納部に収納された前記棒金収納ケースの棒金の金種および金額、ならびにＰＯＳ端末との金額照合結果などを表示する表示部とを備え、
前記棒金保管機から取り外した前記棒金収納ケースを前記収納部に収納して管理する棒金管理装置。
【請求項４】
商品販売データの売上処理を行うＰＯＳ端末と、
売上金の入金および釣銭の出金を行う入出金機と、
請求項１ないし２の何れか一記載の棒金保管機と、
を備えたＰＯＳシステム。
【発明の詳細な説明】
【技術分野】
【０００１】
本発明の実施形態は棒金保管機および棒金管理装置並びにこの棒金保管機を備えたＰＯＳシステムに関する。
【背景技術】
【０００２】
売上金の入金および釣銭の出金を行う自動釣銭機と、同一金種の硬貨を一定枚数だけ棒状にまとめて包装した棒金硬貨を複数収納可能な棒金保管機とをＰＯＳ端末で一元的に制御するＰＯＳシステムはすでに知られている。
このような自動釣銭機、棒金保管機およびＰＯＳ端末からなるＰＯＳシステムを、例えば量販店のように多くの顧客が来店する店舗のチェックアウトレーンに導入することにより、店員（キャッシャ）と顧客との間で金銭の受け渡しをスムーズに行えるようになる。また、自動釣銭機内の硬貨が不足した際には、同一レーン内の棒金保管機から不足した金種の棒金硬貨を取り出して自動釣銭機に補充することができる。
【０００３】
しかしながら、棒金保管機へ棒金硬貨をセットする際は、担当者がこの棒金保管機まで棒金硬貨単体を運びそれぞれセットしなければならない。また、棒金保管機から棒金硬貨を回収する際は、担当者が棒金保管機から棒金硬貨単体をそれぞれ抜き取らなければならず、その作業は非常に煩雑で面倒であった。
【先行技術文献】
【特許文献】
【０００４】
【特許文献１】特開2007−233920号公報
【発明の概要】
【発明が解決しようとする課題】
【０００５】
そこで、本発明が解決しようとする課題は、店舗のチェックアウトレーンにおいて、棒金硬貨のセットおよび回収が簡単にできて使い勝手がよく、しかもセキュリティ性を向上させた棒金保管機を提供するものである。
【課題を解決するための手段】
【０００６】
本発明の実施形態における棒金保管機は、ドロワ本体と、前記ドロワ本体に着脱自在に装着され、収納される棒金硬貨の金種が設定された複数の棒金ホルダを有する棒金収納ケースと、前記各棒金ホルダにそれぞれ対応して設けられ、棒金硬貨が前記棒金収納ケースに収納されていることを検知する棒金検知手段とを備えるものである。
【図面の簡単な説明】
【０００７】
【図１】実施形態の棒金保管機を備えたＰＯＳシステムの全体構成図。
【図２】同システムのＰＯＳ端末の要部構成を示すブロック図。
【図３】同システムの自動釣銭機の要部構成を示すブロック図。
【図４】実施形態の棒金保管機の外観構成を示す斜視図。
【図５】同棒金保管機の要部構成を示すブロック図。
【図６】同棒金保管機から取り外した棒金収納ケースの外観を示す斜視部。
【図７】同棒金収納ケースにおける収納ケース蓋のロック機構の要部構成を示す構成図。
【図８】実施形態の棒金管理装置の外観構成を示す斜視図。
【発明を実施するための形態】
【０００８】
以下、実施形態の棒金保管機および棒金管理装置並びにこの棒金保管機を備えたＰＯＳシステムについて図面を参照して説明する。
【０００９】
図１は、１つのチェックアウトレーンに導入されたＰＯＳシステム１の全体構成図である。図１に示すように、商品販売データの売上処理を行うＰＯＳ（Ｐｏｉｎｔ  Ｏｆ  Ｓａｌｅｓ）端末２に、自動釣銭機３と、棒金保管機４とを、それぞれ通信インターフェースを介して接続して、ＰＯＳシステム１を構築している。
【００１０】
図２は、ＰＯＳ端末２の要部構成を示すブロック図である。ＰＯＳ端末２は、ＣＰＵ（Ｃｅｎｔｒａｌ  Ｐｒｏｃｅｓｓｉｎｇ  Ｕｎｉｔ）を主体に構成したＰＯＳ制御部２１と、ＲＯＭ（Ｒｅａｄ  Ｏｎｌｙ  Ｍｅｍｏｒｙ）領域およびＲＡＭ（Ｒａｎｄｏｍ  Ａｃｃｅｓｓ  Ｍｅｍｏｒｙ）領域を有するメモリ部２２とを備えている。また、キーボード２３Ａ、スキャナ２３Ｂ、オペレータ用ディスプレイ２３Ｃ、客用ディスプレイ２３Ｄ、レシートプリンタ２３Ｅ等の入出力デバイスと、ホスト装置とのデータ通信を司るホスト通信インターフェース２４と、自動釣銭機インターフェース２５を介して接続される自動釣銭機３を制御する自動釣銭機コントローラ２６と、棒金保管機インターフェース２７を介して接続される棒金保管機４を制御する棒金保管機コントローラ２８とを備えている。
【００１１】
キーボード２３Ａまたはスキャナ２３Ｂを介して客が買上げる商品に関するデータが入力されると、ＰＯＳ制御部２１は、この商品の販売データをメモリ部２２に売上処理する。また、この商品の品名、価格等の情報をオペレータ用ディスプレイ２３Ｃと客用ディスプレイ２３Ｄとに表示させる。ＰＯＳ制御部２１は、商品に関するデータが入力される毎に上記処理を繰り返す。そして、登録終了を宣言する締めキー操作が行われると、ＰＯＳ制御部２１は、売上処理した商品販売データに基づいて、この客との商取引の合計金額を算出し、オペレータ用ディスプレイ２３Ｃと客用ディスプレイ２３Ｄとに表示させる。この状態で、キーボード２３Ａを介して預かり金額のデータが入力されると、ＰＯＳ制御部２１は、預かり金額から合計金額を減算して釣銭額を算出する。そして、この釣銭額をオペレータ用ディスプレイ２３Ｃと客用ディスプレイ２３Ｄとに表示させるとともに、買上レシートの印字データを作成し、レシートプリンタ２３Ｅに出力して、買上レシートを印字発行させる。
【００１２】
また、ＰＯＳ制御部２１は、釣銭額のデータを自動釣銭機コントローラ２６に与える。自動釣銭機コントローラ２６は、自動釣銭機３の在高データ（硬貨収納部３４に金種別に収納されている硬貨の金種毎の枚数と総額）を管理しており、この在高データと釣銭額データとから、釣銭として必要な金種別払出枚数を決定する。そして、この金種別払出枚数を示すデータを釣銭データとして、自動釣銭機インターフェース２５から自動釣銭機３に送信する。
【００１３】
図３は、自動釣銭機３の要部構成を示すブロック図である。この自動釣銭機３は、売上金の入金および釣銭の出金を行う入出金機として機能する。
【００１４】
自動釣銭機３は、売上金等の硬貨が投入される硬貨投入口３１と、釣銭としての硬貨が払い出される硬貨払出口３７とを備える。また、自動釣銭機３は、複数枚の硬貨を、１円硬貨、５円硬貨、１０円硬貨、５０円硬貨、１００円硬貨および５００円硬貨の金種別に分けて収納することが可能な金種別の硬貨収納部３４を備える。さらに、自動釣銭機３は、硬貨搬送手段３２、投入硬貨選別部３３、釣銭硬貨払出部３５、硬貨投出手段３６、払出硬貨計数部３８およびＰＯＳ端末２とのインターフェース３９を備える。
【００１５】
硬貨搬送手段３２は、硬貨投入口３１に投入された硬貨を投入硬貨選別部３３まで搬送する。投入硬貨選別部３３は、硬貨搬送手段３２により搬送されてきた投入硬貨を金種別に選別し、同一金種の硬貨収納部３４に収納する。また、硬貨収納部３４に収納した硬貨の金種別枚数データを、インターフェース３９を介してＰＯＳ端末２に送信する。
【００１６】
釣銭硬貨払出部３５は、インターフェース３９を介してＰＯＳ端末２から受信した釣銭データに基づき、硬貨収納部３４から釣銭としての硬貨を払い出させる。硬貨投出手段３６は、釣銭硬貨払出部３５により払い出された硬貨を硬貨払出口３７に投出する。払出硬貨計数部３８は、釣銭硬貨払出部３５により払い出された硬貨の枚数データを金種別に計数し、その計数データを、インターフェース３９を介してＰＯＳ端末２に送信する。
【００１７】
棒金保管機４は、入出金機である自動釣銭機３への硬貨補充のために複数金種の棒金硬貨を収納し保管する。図４は、実施形態の棒金保管機４の外観構成を示す斜視図であり、図５は、棒金保管機４の要部構成を示すブロック図である。
【００１８】
棒金保管機４は、図４に示すように、筐体４１の前面から引出し可能なドロワ４２を備えており、この筐体４１とドロワ４２とでドロワ本体を構成している。そして、このドロワ本体の内部には棒金収納ケース４３が着脱自在に装着される。この棒金収納ケース４３がドロワ本体に装着されると自動的に電磁ロック（図示しない）が掛り、ＰＯＳ端末２からロック解除の指令がない限り、棒金収納ケース４３は外れない構造となっている。
【００１９】
棒金収納ケース４３は、棒金硬貨が収納される棒金ホルダ４５が形成された収納ケース本体４３ａと、この収納ケース本体４３ａの棒金ホルダ４５を覆う収納ケース蓋４３ｂとで構成されている。収納ケース本体４３ａは、複数本の棒金硬貨４４を１本ずつ収納するための複数の棒金ホルダ４５を前後２列にわたって備えている。各棒金ホルダ４５は、各金種の棒金硬貨４４にそれぞれ対応した所定の横幅と縦方向の長さで、かつ縦方向の中央部を除く両端側の断面が所定の深さで半円形状の凹みとなる形状を有しており、それぞれ予め設定された金種の棒金硬貨を１本ずつ収納可能となっている。各棒金ホルダ４５の縦方向中央部は、両端側の半円形状の凹みよりも深く、かつ該両端側の横幅よりも大きく矩形状に切欠されており、この切欠部に指を入れて棒金硬貨４４を持ち上げることにより、棒金ホルダに収納された棒金硬貨４４を取り出せるようになっている。因みに、各棒金ホルダ４５の近傍には、それぞれのホルダに収納される金種が明示されている。
【００２０】
各棒金ホルダ４５には、それぞれのホルダに設定金種の棒金硬貨が収納されていることを検知する棒金検知手段としての棒金センサ４６（図５参照）が、棒金ホルダ４５毎に設けられている。各棒金センサ４６は、例えば光センサであり、対応する棒金ホルダ４５に棒金硬貨４４が収納されていない状態ではオフ信号を出力し、設定金種の棒金硬貨４４が収納されてセンサ光が遮られるとオン信号を出力する。なお、棒金センサ４６としては、光センサでなく、例えば重量センサ等であってもよい。
【００２１】
収納ケース本体４３ａの上面部には、各棒金ホルダ４５にそれぞれ１対１で対応して、ＬＥＤ素子４７が取り付けられている。各ＬＥＤ素子４７は、対応する棒金ホルダ４５に設定金種の棒金硬貨４４が収納されているとき、この棒金ホルダ４５を特定した報知指令に応じて点灯または点滅して報知する。この報知指令は、自動釣銭機３において、その棒金ホルダ４５に収納される棒金硬貨４４の金種の補充が必要になったときに、上位機であるＰＯＳ端末２から出力される。
【００２２】
棒金保管機４は、図５に示すように、ＰＯＳ端末２とのインターフェース５０と、棒金収納ケース４３が着脱自在に装着されるドロワ４２と、このドロワ４２を自動開放させるためのドロワ開放機構４９を備えている。インターフェース５０は、ＰＯＳ端末２から受信したドロワ駆動信号をドロワ開放機構４９に供給する。ドロワ駆動信号が供給されたドロワ開放機構４９は、ドロワ４２を筐体４１の前面側に開放動作させる。なお、ドロワ４２と棒金収納ケース４３との電磁ロック（図示しない）は、ＰＯＳ端末２からロック解除の指令により解除できる。また、インターフェース５０は、各棒金ホルダ４５にそれぞれ設けられた棒金センサ４６の信号を取り込む。そして、取り込んだセンサ信号をＰＯＳ端末２に送信する。さらに、インターフェース５０は、ＰＯＳ端末２から受信した報知指令信号を各ＬＥＤ素子４７に選択的に供給する。報知指令信号が供給されたＬＥＤ素子４７は点灯または点滅する。なお、４８は棒金収納ケース４３における収納ケース蓋４３ｂのロック機構としての電磁ロック錠であり、棒金収納ケース４３が棒金保管機４のドロワ４２から取り外される際に、収納ケース蓋４３ｂはこの電磁ロック錠４８により常にロックされる構造になっている。
【００２３】
図６は、棒金保管機４から取り外した棒金収納ケース４３の外観を示す斜視図であり、図７は、棒金収納ケース４３における収納ケース蓋４３ｂのロック機構としての電磁ロック錠４８の要部構成を示す構成図である。
【００２４】
棒金収納ケース４３は、図６に示すように、棒金保管機４のドロワ４２から取り出された状態では、常に収納ケース蓋４３ｂは電磁ロック錠４８によりロックされる構造になっている。よって、棒金硬貨回収の際、取り外された棒金収納ケース４３の収納ケース蓋４３ｂは常にロックされた状態にあり、回収時に担当者が直接棒金硬貨に触れることはない。
【００２５】
次に、電磁ロック錠４８について図７を参照して説明する。この電磁ロック錠４８は、図示しない電源によって作動するものであり、収納ケース本体４３ａ側に固定したソレノイド４８ａと、このソレノイド４８ａによってスライドする丸棒状の係止軸４８ｃと、収納ケース蓋４３ｂ側に固定するとともに当該係止軸４８ｃが挿入可能な穴を有したロック板４８ｂとから構成される。なお、５１は収納ケース本体４３ａの上面に形成され、当該ロック板４８ｂが挿入される開口部である。そして、棒金収納ケース４３が棒金保管機４のドロワ４２に装着された通常の使用時には、電磁ロック錠４８によるロックは解除されており、棒金収納ケース４３への棒金硬貨の出し入れは自由にできる。一方、棒金収納ケース４３が棒金保管機４のドロワ４２から取り外された棒金硬貨の回収時には、電磁ロック錠４８によるロックは掛った状態にあり、直接担当者が棒金硬貨に触れることはできない。
【００２６】
図８は、棒金管理装置６の外観構成を示す斜視図である。この棒金管理装置６は、通常店舗等におけるバックヤードに設置されており、棒金保管機４から取り外した棒金収納ケース４３が収納される収納部を複数有する管理装置本体６１と、収納した棒金収納ケース４３の棒金硬貨の金種、個数、及び金額等を計数し表示する表示部６２とで構成されている。そして、棒金管理装置６の収納部に棒金収納ケース４３が収納されると、この棒金収納ケース４３の棒金硬貨の金種、個数、及び金額等を計数するとともに、これらの計数結果と当該棒金収納ケース４３が接続されていたＰＯＳ端末２からの棒金硬貨情報との照合を行う。照合の結果、当該計数結果と棒金硬貨情報に間違いがなければ警告は出さないが、金額等において違いがある場合は、棒金管理装置６またはＰＯＳ端末２から警報を発してオペレータ等に報知する。また、棒金収納ケース４３が取り外されてから所定時間内に棒金管理装置６に収納されない場合も、同様に警報を発してオペレータ等に知らせる。なお、棒金管理装置６は、その外部に棒金収納ケース４３と接続できる接続器（図示しない）を備えており、棒金硬貨を棒金収納ケース４３に補充する際、当該棒金収納ケース４３をこの接続器を介して棒金管理装置６に接続すると、棒金収納ケース４３における収納ケース蓋４３ｂの電磁ロック錠４８が開錠され、この棒金管理装置６付近で棒金硬貨の棒金収納ケース４３への補充ができる。
【００２７】
以上、説明したように、本実施形態の棒金保管機によれば、棒金硬貨が収納される棒金収納ケースを棒金保管機に対して着脱自在に設け、この棒金収納ケースが棒金保管機から取り出された時、棒金収納ケースは常にロックされた状態にあり、チェックアウトレーンでの棒金硬貨の補充および回収時に担当者が直接棒金に触れることがなく、セキュリティ性を向上させることができる。また、棒金収納ケースへの棒金硬貨の補充作業をチェックアウトレーンではなく、棒金管理装置のあるバックヤードで実施できるものである。
【００２８】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２９】
１                ＰＯＳシステム
２                ＰＯＳ端末
３                自動釣銭機（入出金機）
４                棒金保管機
６                棒金管理装置
４１              筐体（ドロワ本体）
４２              ドロワ（ドロワ本体）
４３              棒金収納ケース
４３ａ            収納ケース本体
４３ｂ            収納ケース蓋
４６              棒金センサ（棒金検知手段）
４８              電磁ロック錠（ロック機構）
【図１】
2014021739.tif 000003
【図２】
2014021739.tif 000004
【図３】
2014021739.tif 000005
【図４】
2014021739.tif 000006
【図５】
2014021739.tif 000007
【図６】
2014021739.tif 000008
【図７】
2014021739.tif 000009
【図８】
2014021739.tif 000010